(57)【要約】【課題】血液回路の安全性を担保しつつ、インピーダンス測定にかかるコストを低減できるインピーダンス測定装置を提供すること。【解決手段】ニードルレスポート１１６を有する血液回路１１０に取り付けられるインピーダンス測定装置１５０であって、測定回路１５１と、一端側に血液回路１１０内の液体と接触可能な接触部１１４１を有し他端側に血液回路１１０外に露出する露出部１１４２を有する第１電極１１４、及び第１電極１１４の一端側がニードルレスポート１１６に挿入された状態でニードルレスポート１１６と係合して固定する第１ロック機構を有する第１電極保持部１１５を備えるアダプタ電極１５２と、第２電極１５３１及び第２電極１５３１が第１電極１１４に接触した状態で第２電極１５３１を第１電極１１４に対して取り外し可能に固定するための第２ロック機構を有する第２電極保持部１５３２を備える測定用電極１５３と、を備える。【選択図】図１
2020151033.tif 000002
【特許請求の範囲】
【請求項１】
ニードルレスポートを有する血液回路に取り付けられ血液回路内の液体のインピーダンスを測定するインピーダンス測定装置であって、
前記血液回路内の液体のインピーダンスを測定する測定回路と、
前記ニードルレスポートに挿入される一端側に前記血液回路内の液体と接触可能な接触部を有し他端側に前記血液回路外に露出する露出部を有する第１電極、及び前記第１電極を保持し、前記第１電極の前記一端側が前記ニードルレスポートに挿入された状態で前記ニードルレスポートと係合して固定するための第１ロック機構を有する第１電極保持部を有するアダプタ電極と、
前記第１電極の前記露出部と接触して前記血液回路内の液体のインピーダンスを測定するための第２電極、及び前記第２電極を保持し前記第２電極が前記第１電極の前記露出部に接触した状態で該第２電極を前記第１電極に対して取り外し可能に固定するための第２ロック機構を有する第２電極保持部を備える測定用電極と、
一端が前記測定回路と接続され、他端が前記第２電極と接続される一対のリード線と、を備えるインピーダンス測定装置。
【請求項２】
請求項１に記載のインピーダンス測定装置と、
ニードルレスポートを有する血液回路と、を備える体外循環装置。
【発明の詳細な説明】
【技術分野】
【０００１】
本発明は、インピーダンス測定装置、及びこのインピーダンス測定装置を備える体外循環装置に関する。
【背景技術】
【０００２】
従来、患者の血液を、体外で血液回路を用いて循環させる人工透析装置や人工心肺装置等の体外循環装置において、血液回路に電極を取り付けて血液のインピーダンスを測定することにより、穿刺針の抜針を検知する方法が提案されている。
例えば特許文献１では、血液回路に配置される電極と配線とがはんだ付けや溶接により電気的に接続されることが開示されている。
【０００３】
患者の血液に接触する血液回路は感染予防のため単回使用が義務付けられており、原則として使用後は使い捨てにされる。また、インピーダンス測定のための電極も同様に血液と接触するため、使用後は使い捨てにされる。
【先行技術文献】
【特許文献】
【０００４】
【特許文献１】特開２０１７−３５５１２号公報
【発明の概要】
【発明が解決しようとする課題】
【０００５】
特許文献１においては、血液に接触する電極及び電極にはんだ付け等で接続された配線は使用後に廃棄され、新たな電極及び配線を準備する必要がある。そのため、電極が配置された血液回路を用いた体外循環装置でインピーダンスを測定する場合において、インピーダンス測定のためのコストが高くなってしまう。
【０００６】
従って、本発明は、体外循環装置で血液回路内の液体のインピーダンスを測定する場合に、血液回路の安全性を担保しつつ、インピーダンス測定にかかるコストを低減することを目的とする。
【課題を解決するための手段】
【０００７】
本発明は、ニードルレスポートを有する血液回路に取り付けられ血液回路内の液体のインピーダンスを測定するインピーダンス測定装置であって、前記血液回路内の液体のインピーダンスを測定する測定回路と、前記ニードルレスポートに挿入される一端側に前記血液回路内の液体と接触可能な接触部を有し他端側に前記血液回路外に露出する露出部を有する第１電極、及び前記第１電極を保持し、前記第１電極の前記一端側が前記ニードルレスポートに挿入された状態で前記ニードルレスポートと係合して固定するための第１ロック機構を有する第１電極保持部を備えるアダプタ電極と、前記第１電極の前記露出部と接触して前記血液回路内の液体のインピーダンスを測定するための第２電極、及び前記第２電極を保持し前記第２電極が前記第１電極の前記露出部に接触した状態で該第２電極を前記第１電極に対して取り外し可能に固定するための第２ロック機構を有する第２電極保持部を備える測定用電極と、一端が前記測定回路と接続され、他端が前記第２電極と接続される一対のリード線と、を備えるインピーダンス測定装置に関する。
【０００８】
また、本発明は、上記に記載のインピーダンス測定装置と、ニードルレスポートを有する血液回路と、を備える体外循環装置に関する。
【発明の効果】
【０００９】
本発明によれば、血液回路に配置されるアダプタ電極を使い捨てにすることにより血液回路の安全性を担保し、測定用電極を用いてアダプタ電極を介してインピーダンス測定を行うことにより測定用電極を繰り返し使用可能とし、インピーダンス測定にかかるコストを低減することができる。
【図面の簡単な説明】
【００１０】
【図１】本発明の実施形態に係る体外循環装置の概略構成を示す図である。
【図２】本実施形態の測定用電極、アダプタ電極及び血液回路のニードルレスポートにおけるロック機構を説明するための図である。
【図３】図２で示した測定用電極、アダプタ電極及び血液回路のニードルレスポートがそれぞれ係合して固定された状態を説明するための図である。
【発明を実施するための形態】
【００１１】
以下、本発明の実施形態について、図面を参照しながら詳細に説明する。本実施形態に係る体外循環装置の一例として、腎不全患者や薬物中毒患者の血液を体外循環させて浄化すると共に、血液中の余分な水分を除去する透析治療に用いられる透析装置について説明する。
本実施形態の透析装置は、血液回路に電極を配置して血液回路内に流れる液体のインピーダンスを測定するインピーダンス測定装置を備え、このインピーダンス測定装置により測定される測定値の変化に基づいて透析中の抜針検知やプライミング中のドリップチャンバの液面調整等を可能とするものである。本実施形態では、抜針検知が可能な位置に電極を配置してインピーダンスを測定する場合について説明する。
【００１２】
本実施形態の透析装置１の全体構成について図１を参照しながら説明する。
図１に示すように、透析装置１は、患者の血液を循環させるための血液回路１１０と、血液ポンプ１１１ａと、動脈側気泡検知器１１１ｂと、静脈側気泡検知器１１２ｂと、血液透析器１２０と、透析液回路１３０と、透析液送液部１３３と、補充液ライン１４０と、補液ポンプ１４０ａと、インピーダンス測定装置１５０と、制御装置（不図示）と、を備える。
【００１３】
血液回路１１０は、動脈側ライン１１１と、静脈側ライン１１２と、排液ライン１１３と、を有し、任意の場所に一対のニードルレスポート１１６が取り付けられる。動脈側ライン１１１、静脈側ライン１１２、及び排液ライン１１３は、いずれも液体が流通可能な可撓性を有する軟質のチューブを主体として構成される。
【００１４】
動脈側ライン１１１は、一端側が後述する血液透析器１２０の血液導入口１２２ａに接続される。動脈側ライン１１１には、血液ポンプ１１１ａ、動脈側気泡検知器１１１ｂ、動脈側クランプ１１１ｃ、及び動脈側接続部１１１ｄが配置される。
血液ポンプ１１１ａは、動脈側ライン１１１を構成するチューブをローラーでしごくことにより、動脈側ライン１１１の内部の血液やプライミング液等の液体を送出する。
動脈側気泡検知器１１１ｂは、動脈側ライン１１１における血液ポンプ１１１ａよりも上流側に配置され、チューブ内の気泡の有無を検出する。
動脈側クランプ１１１ｃは、動脈側気泡検知器１１１ｂよりも上流側に配置される。動脈側クランプ１１１ｃは、動脈側気泡検知器１１１ｂによる気泡の検出結果に応じて制御され、動脈側ライン１１１の流路を開閉する。
動脈側接続部１１１ｄは、動脈側ライン１１１の他端側に配置される。動脈側接続部１１１ｄには、患者の血管に穿刺される針が接続される。
【００１５】
静脈側ライン１１２は、一端側が後述する血液透析器１２０の血液導出口１２２ｂに接続される。静脈側ライン１１２には、ドリップチャンバ１１２ａ、静脈側気泡検知器１１２ｂ、静脈側クランプ１１２ｃ、及び静脈側接続部１１２ｄが配置される。
ドリップチャンバ１１２ａは、静脈側ライン１１２に混入した気泡や凝固した血液等を除去するため、一定量の血液を貯留する。
静脈側気泡検知器１１２ｂは、ドリップチャンバ１１２ａよりも下流側に配置され、チューブ内の気泡の有無を検出する。
静脈側クランプ１１２ｃは、静脈側気泡検知器１１２ｂよりも下流側に配置される。静脈側クランプ１１２ｃは、静脈側気泡検知器１１２ｂによる気泡の検出結果に応じて制御され、静脈側ライン１１２の流路を開閉する。
静脈側接続部１１２ｄは、静脈側ライン１１２の他端側に配置される。静脈側接続部１１２ｄには、患者の血管に穿刺される針が接続される。
【００１６】
排液ライン１１３は、ドリップチャンバ１１２ａに接続される。排液ライン１１３には、排液ライン用クランプ１１３ａが配置される。排液ライン１１３は、プライミング工程でプライミング液を排液するためのラインである。
【００１７】
一対のニードルレスポート１１６は、血液回路１１０の密閉性を保った状態で任意の場所に取り付けられる。本実施形態では、図１に示すように、一対のニードルレスポート１１６は、動脈側気泡検知器１１１ｂの上流側及び静脈側気泡検知器１１２ｂの下流側にそれぞれ取り付けられる。
ニードルレスポート１１６は、図２（ｃ）に示すように、スリットが形成された弾性隔壁部材１１６１を有しており、このスリットに雄コネクタ等を挿入することで、密閉性を保ちつつ、穿刺針等を用いないで液体の注入や採取を可能にする混中ポートである。また、ニードルレスポート１１６は、係合部として外周面に形成された２つの係合突起１１６２を備える。
これら一対のニードルレスポート１１６には、インピーダンス測定装置１５０を構成するアダプタ電極１５２が取り付けられる。
【００１８】
血液透析器１２０は、筒状に形成された容器本体１２１と、この容器本体１２１の内部に収容された透析膜（図示せず）と、を備える。血液透析器１２０としては、ダイアライザやヘモダイアフィルタが用いられる。容器本体１２１の内部は、透析膜により血液側流路と透析液側流路とに区画される（いずれも図示せず）。容器本体１２１には、血液回路１１０に連通する血液導入口１２２ａ及び血液導出口１２２ｂと、透析液回路１３０に連通する透析液導入口１２３ａ及び透析液導出口１２３ｂと、が形成される。
【００１９】
以上の血液回路１１０及び血液透析器１２０によれば、例えば、図１に示す透析工程では、対象者（透析患者）の動脈から２００ｍＬ／ｍｉｎで取り出された血液は、血液ポンプ１１１ａにより動脈側ライン１１１を流通して血液透析器１２０の血液側流路に導入される。血液透析器１２０に導入された血液は、透析膜を介して後述する透析液回路１３０を流通する透析液により浄化され、１０ｍＬ／ｍｉｎで除水される。血液透析器１２０において浄化及び除水された血液は、静脈側ライン１１２を流通して１９０ｍＬ／ｍｉｎで対象者の静脈に返血される。
【００２０】
透析液回路１３０は、本実施形態では、いわゆる密閉容量制御方式の透析液回路１３０により構成される。この透析液回路１３０は、透析液供給ライン１３１ａと、透析液排液ライン１３１ｂと、透析液導入ライン１３２ａと、透析液導出ライン１３２ｂと、透析液送液部１３３と、を備える。
【００２１】
透析液送液部１３３は、透析液チャンバ１３３１と、バイパスライン１３３２と、除水／逆ろ過ポンプ１３３３と、を備える。
透析液チャンバ１３３１は、一定容量（例えば、３００ｍＬ〜５００ｍＬ、本実施形態では３００ｍＬ）の透析液を収容可能な硬質の容器で構成され、この容器の内部は軟質の隔膜（ダイアフラム）により送液収容部１３３１ａ及び排液収容部１３３１ｂに区画される。
バイパスライン１３３２は、透析液導出ライン１３２ｂと透析液排液ライン１３１ｂとを接続する。
【００２２】
除水／逆ろ過ポンプ１３３３は、バイパスライン１３３２に配置される。除水／逆ろ過ポンプ１３３３は、バイパスライン１３３２の内部の透析液を透析液排液ライン１３１ｂ側に流通させる方向（除水方向）及び透析液導出ライン１３２ｂ側に流通させる方向（逆ろ過方向）に送液可能に駆動するポンプにより構成される。
【００２３】
透析液供給ライン１３１ａは、基端側が透析液供給装置（図示せず）に接続され、先端側が透析液チャンバ１３３１に接続される。透析液供給ライン１３１ａは透析液チャンバ１３３１の送液収容部１３３１ａに透析液を供給する。
【００２４】
透析液導入ライン１３２ａは、透析液チャンバ１３３１と血液透析器１２０の透析液導入口１２３ａとを接続し、透析液チャンバ１３３１の送液収容部１３３１ａに収容された透析液を血液透析器１２０の透析液側流路に導入する。
【００２５】
透析液導出ライン１３２ｂは、血液透析器１２０の透析液導出口１２３ｂと透析液チャンバ１３３１とを接続し、血液透析器１２０から排出された透析液を透析液チャンバ１３３１の排液収容部１３３１ｂに導出する。
【００２６】
透析液排液ライン１３１ｂは、基端側が透析液チャンバ１３３１に接続され、排液収容部１３３１ｂに収容された透析液の排液を排出する。
【００２７】
以上の透析液回路１３０によれば、透析液チャンバ１３３１を構成する硬質の容器の内部を軟質の隔膜（ダイアフラム）により区画することで、透析液チャンバ１３３１からの透析液の導出量（送液収容部１３３１ａへの透析液の供給量）と、透析液チャンバ１３３１（排液収容部１３３１ｂ）に回収される排液の量と、を同量にできる。
これにより、除水／逆ろ過ポンプ１３３３を停止させた状態では、血液透析器１２０に導入される透析液の流量と血液透析器１２０から導出される透析液（排液）の量とを同量にできる。
【００２８】
また、除水／逆ろ過ポンプ１３３３を逆ろ過方向に送液するように駆動させた場合には、透析液チャンバ１３３１から排出された排液の一部がバイパスライン１３３２及び透析液導出ライン１３２ｂを通って再び透析液チャンバ１３３１に回収される。そのため、血液透析器１２０から導出される透析液の量は、透析液チャンバ１３３１に回収される量（即ち、透析液導入ライン１３２ａを流通する透析液の量）から、バイパスライン１３３２を流通する透析液の量を減じた量となる。これにより、血液透析器１２０から導出される透析液の量は、バイパスライン１３３２を通って再び透析液チャンバ１３３１に回収される透析液（排液）の量分だけ、透析液導入ライン１３２ａを流通する透析液の流量よりも少なくなる。即ち、除水／逆ろ過ポンプ１３３３を逆ろ過方向に送液するように駆動させた場合は、血液透析器１２０において、血液回路１１０に所定量の透析液が注入（逆ろ過）される。
【００２９】
一方、図１に示すように、除水／逆ろ過ポンプ１３３３を除水方向に送液するように駆動させた場合には、透析液導出ライン１３２ｂを流通する透析液の量は、透析液チャンバ１３３１に回収される透析液の量（即ち、透析液導入ライン１３２ａを流通する透析液の量）に、バイパスライン１３３２を流通する透析液の量を加えた量となる。これにより、透析液導出ライン１３２ｂを流通する透析液の量は、バイパスライン１３３２を通って透析液排液ライン１３１ｂに排出される透析液（排液）の量分だけ、透析液導入ライン１３２ａを流通する透析液の量よりも多くなる。即ち、除水／逆ろ過ポンプ１３３３を除水方向に１０ｍＬ／ｍｉｎで送液するように駆動させた場合は、血液透析器１２０において、血液から１０ｍＬ／ｍｉｎの除水が行われる。
【００３０】
補充液ライン１４０は、透析液を血液回路１１０に直接供給するためのラインであり、この補充液ライン１４０には、補液ポンプ１４０ａが設けられる。図１に示すように、補充液ライン１４０の上流側は、透析液回路１３０の透析液導入ライン１３２ａにおける透析液チャンバ１３３１と透析液導入口１２３ａとの間に接続されている。本実施形態では、補充液ライン１４０の下流側を静脈側ライン１１２におけるドリップチャンバ１１２ａに接続して後希釈方式の血液濾過透析としている。なお、図示しないが、補充液ライン１４０の下流側を動脈側ライン１１１における血液ポンプ１１１ａと血液透析器１２０との間に接続して前希釈方式の血液濾過透析としてもよい。
【００３１】
インピーダンス測定装置１５０は、測定回路１５１と、一対のアダプタ電極１５２と、一対の測定用電極１５３と、一対のリード線１５４と、を含んで構成される。
インピーダンス測定装置１５０は、血液回路１１０内に流れる血液やプライミング液等の液体のインピーダンスを測定する。
【００３２】
測定回路１５１は、インピーダンスを測定するための回路であり、周知のものを用いることができる。
【００３３】
アダプタ電極１５２は、ニードルレスポート１１６に着脱可能に取り付けられる。アダプタ電極１５２は、第１電極１１４と、第１電極保持部１１５と、を備える。
【００３４】
第１電極１１４は、円柱形状を有しており、図２（ｂ）に示すように、ニードルレスポート１１６に挿入される一端側に血液回路１１０内の液体と接触可能な接触部１１４１（円柱形状の底面部）を有し、後述する第２電極１５３１と接続される他端側に血液回路１１０外に露出する露出部１１４２（円柱形状の上面部）を有する。
【００３５】
第１電極保持部１１５は、第２電極１５３１を一端側から内側に挿入可能な第１の筒状部１１５１と、第１電極１１４を保持するための第２の筒状部１１５２と、第１ロック機構としての係合爪１１５３と、を備える。尚、第２電極１５３１は、第１の筒状部１１５１の他端側の開口部まで挿入される。
第１の筒状部１１５１の外周面には外ねじ部１１５４が形成されており、外ねじ部１１５４は、後述の第２電極保持部１５３２に形成される第２ロック機構としての内ねじ部１５３３と係合するように構成される。
【００３６】
第２の筒状部１１５２は、第１の筒状部１１５１と連続して一体的に形成されており、一端側がニードルレスポート１１６に挿入される。また、第２の筒状部１１５２は、内側に円柱形状の第１電極１１４を保持しており、第２の筒状部１１５２の一端側（ニードルレスポート１１６に挿入される側）の開口部に第１電極１１４の接触部１１４１が配置される。このように、円柱形状の第１電極１１４の周囲が第２の筒状部１１５２で覆われており、底面が接触部１１４１となるので、インピーダンス測定時に液体に接触する面積を一定とすることができ、安定してインピーダンスを測定することができる。また、第２の筒状部１１５２の他端側（第１の筒状部１１５１側）の開口部、即ち、第１の筒状部１１５１の他端側の開口部に第１電極１１４の露出部１１４２が配置されるので、第１の筒状部１１５１に挿入された第２電極１５３１と第１電極１１４とが電気的に接続可能となる。
【００３７】
第１ロック機構は、ニードルレスポート１１６に対してアダプタ電極１５２を固定するための機構であり、ニードルレスポート１１６に形成される係合突起１１６２と係合する係合部としての係合爪１１５３で構成される。
【００３８】
測定用電極１５３は、第２電極１５３１と、第２電極保持部１５３２と、を含んで構成される。
第２電極１５３１は、円柱形状を有しており、一端側は、第１電極１１４の露出部１１４２と接触可能であり、他端側は、リード線１５４に接続される。
【００３９】
第２電極保持部１５３２は、円筒状に構成され、一端側は第２電極１５３１の直径と同程度の内径の内周面を有し、該内周面で第２電極１５３１を保持する。また、第２電極保持部１５３２の他端側は、第２電極１５３１の直径よりも大きい内径の内周面を有し、該内周面に、第２ロック機構としての内ねじ部１５３３が形成される。内ねじ部１５３３は、第２電極１５３１と第１電極１１４とが電気的に接続した状態で固定するための係合構造であり、第２電極１５３１と第１電極１１４とは、必要に応じて取り外し可能である。
【００４０】
尚、第１電極１１４と第２電極１５３１の直径は、電極同士が少しずれて配置されても直径が小さい方の全面が覆われるように、一方は他方より大きい方が好ましい。また、第２電極１５３１は繰り返し使用し、第１電極１１４は使い捨てとされるため、第１電極１１４の直径が第２電極１５３１の直径よりも小さい方がコスト低減に有利であり、好ましい。
【００４１】
リード線１５４は、測定回路１５１と測定用電極１５３とを電気的に接続する。
【００４２】
図３は、ニードルレスポート１１６にアダプタ電極１５２及び測定用電極１５３が取り付けられた状態を示す図である。
インピーダンス測定装置１５０を使用する場合、測定用電極１５３とアダプタ電極１５２とを固定し、更にニードルレスポート１１６にアダプタ電極１５２を固定する。そして、この状態で測定回路１５１によりインピーダンスを測定する。
【００４３】
測定用電極１５３とアダプタ電極１５２とを固定する場合、測定用電極１５３の第２電極１５３１とアダプタ電極１５２の第１電極１１４の露出部１１４２とを接触させた状態で、第２ロック機構としての内ねじ部１５３３と、アダプタ電極１５２に形成された外ねじ部１１５４とを係合させる。これにより、測定用電極１５３とアダプタ電極１５２とが電気的に接続された状態で取り外し可能に固定される。
【００４４】
アダプタ電極１５２をニードルレスポート１１６に固定する場合、アダプタ電極１５２の第２の筒状部１１５２により外周面を覆われた第１電極１１４の一端側をニードルレスポート１１６の弾性隔壁部材１１６１に形成されたスリットに挿入した状態で、第１ロック機構としての係合爪１１５３と、ニードルレスポート１１６の外周面に形成された係合突起１１６２とを係合させる。これにより、第１電極１１４が接触部１１４１で血液回路１１０内の液体と接触可能な位置に配置された状態で、アダプタ電極１５２とニードルレスポート１１６とが固定可能となる。よって、血液回路１１０のうち第１電極１１４を取り付けたい場所にニードルレスポート１１６を取り付けて、アダプタ電極１５２をニードルレスポート１１６に取り付けることで、血液回路１１０の任意の場所に第１電極１１４を取り付けることができる。
よって、測定用電極１５３を用いて、アダプタ電極１５２を介してインピーダンスを測定することができるので測定用電極１５３を血液で汚染させることなく、繰り返し使用ができる。また、測定用電極１５３と接続されるリード線１５４も繰り返し使用できる。
【００４５】
尚、測定用電極１５３、アダプタ電極１５２及びニードルレスポート１１６を接続する順に特に制限はない。
【００４６】
制御装置は、情報処理装置（コンピュータ）により構成され、制御プログラムを実行することにより、透析装置１の動作を制御する。
具体的には、制御装置は、血液回路１１０及び透析液回路１３０に配置された各種のポンプやクランプ等の動作を制御して、透析装置１により行われる各種工程を実行する。各種工程とは、詳しくは、血液回路１１０や血液透析器１２０を洗浄し清浄化する準備工程であるプライミング工程、穿刺後に患者の血液を血液回路１１０に充填させて体外循環させる脱血工程、脱血工程に続いて行われる透析工程、透析工程中に必要に応じて行われる補液工程、血液回路１１０内の血液を患者の体内に戻す返血工程等である。
【００４７】
上述のインピーダンス測定装置１５０が備える測定回路１５１、制御装置１６０、補液ポンプ１４０ａ、血液ポンプ１１０ａ、除水／逆ろ過ポンプ１３３３等の各種ポンプや、動脈側気泡検知器１１１ｂ及び静脈側気泡検知器１１２ｂ等の気泡検知器は、透析装置１における装置本体（コンソール）に配置される。
【００４８】
以上説明した本実施形態に係るインピーダンス測定装置１５０及び透析装置１によれば、以下のような効果を奏する。
【００４９】
（１）インピーダンス測定装置１５０を、測定回路１５１と、第１電極１１４及び第１電極１１４の一端側がニードルレスポート１１６に挿入された状態でニードルレスポート１１６と係合して固定する第１電極保持部１１５を有するアダプタ電極１５２と、第１電極１１４と接触する第２電極１５３１及び第２電極１５３１を保持し第２電極１５３１が第１電極１１４に接触した状態で第２電極１５３１を第１電極１１４に対して取り外し可能に固定する第２電極保持部１５３２を備える測定用電極１５３と、測定回路１５１と測定用電極１５３とを接続するリード線１５４と、を含んで構成した。これにより、血液と接触するアダプタ電極１５２を使い捨てにすることにより、血液による感染を予防して安全性を担保しつつ、測定用電極１５３は血液に接触しないため、測定用電極１５３及びリード線１５４は繰り返し使用が可能となり、リード線及び測定用電極を使い捨てにする従来例に比べてインピーダンス測定にかかるコストを低減することができる。
【００５０】
（２）アダプタ電極１５２を、一端側が弾性隔壁部材１１６１のスリットに挿入される部分となる第２の筒状部１１５２を有するものとし、第１電極１１４は、第２の筒状部１１５２の内側に配置可能な円柱形状を備えており、第２の筒状部１１５２の一端側の開口部に接触部１１４１が配置されるように、第２の筒状部１１５２に保持されるものとした。これにより、第１電極１１４が第２の筒状部１１５２で覆われていない場合に比べて、アダプタ電極１５２のニードルレスポート１１６に対する取付けが多少ずれても、第１電極１１４の液体（血液）との接触部１１４１の面積が一定となるので、安定してインピーダンスを測定することができる。
【００５１】
以上、本発明のインピーダンス測定装置１５０及び体外循環装置の好ましい実施形態について説明したが、本発明は、上述した実施形態に制限されるものではなく、適宜変更が可能である。
【００５２】
例えば、上述の実施形態では、体外循環装置の一例として透析装置１について説明したがこれに限らない。本発明は、患者の血液を血液回路で体外循環させる人工心肺装置等の体外循環装置にも適用可能である。
【符号の説明】
【００５３】
１  透析装置（体外循環装置）
１１０  血液回路
１１４  第１電極
１１４１  接触部
１１４２  露出部
１１６  ニードルレスポート
１５０  インピーダンス測定装置
１５１  測定回路
１５２  アダプタ電極
１５３  測定用電極
１５３１  第２電極
１５３２  第２電極保持部
１５４  リード線
【図１】
2020151033.tif 000003
【図２】
2020151033.tif 000004
【図３】
2020151033.tif 000005